(57)【要約】【課題】ディスク型記録媒体毎の特性に応じた外乱信号値を印加することが可能な、フォーカスバランス調整装置及び光ディスク再生装置を提供する。【解決手段】フォーカスバランス調整前に、小さな外乱信号をフォーカスエラー信号に印加し、この外乱信号の印加に応じてディスク型記録媒体から検出されるデータ信号が示す特性曲線の傾きに基づいて外乱信号の値を調整し、この調整された外乱信号の印加に応じて検出される特性曲線及びフォーカスエラー信号に基づいてフォーカスバランス調整を行う。【選択図】図１
2006185516.tif 000002
【特許請求の範囲】
【請求項１】
ディスク型記録媒体から情報を読み取る光学式ピックアップと、
前記読み取られた情報から、前記光学式ピックアップの焦点位置を調整するためのフォーカスエラー信号を出力する出力手段と、
外乱信号を生成して、当該外乱信号を前記フォーカスエラー信号に印加する外乱信号生成手段と、
前記外乱信号の印加に応じて前記ディスク型記録媒体から読み出されたデータ信号を検出する検出手段と、
前記検出されたデータ信号が示す特性曲線の傾きに基づいて、前記生成される外乱信号の値を調整する外乱信号調整手段と、
前記フォーカスエラー信号及び特性曲線に基づいて、フォーカスバランス調整を行うフォーカスバランス調整手段と、
を備えたことを特徴とするフォーカスバランス調整装置。
【請求項２】
前記外乱信号調整手段は、複数の異なる値の外乱信号の印加に応じて検出されるデータ信号の特性値に基づいて、前記特性曲線の傾きを導出することを特徴とする請求項１に記載のフォーカスバランス調整装置。
【請求項３】
前記外乱信号調整手段は、前記フォーカスバランス調整の際に生成される外乱信号の値と比較し、前記外乱信号調整の際に生成される外乱信号の値が小さくなるよう制御することを特徴とする請求項１又は２に記載のフォーカスバランス調整装置。
【請求項４】
前記外乱信号の調整は、前記フォーカスバランス調整が行われる前に行われることを特徴とする請求項１〜３の何れか一項に記載のフォーカスバランス調整装置。
【請求項５】
請求項１〜４の何れか一項に記載のフォーカスバランス調整装置を備えたことを特徴とする光ディスク再生装置。
【発明の詳細な説明】
【技術分野】
【０００１】
本発明は、フォーカスバランス調整装置及び光ディスク再生装置に関する。
【背景技術】
【０００２】
従来より、ＣＤ（Compact Disc）やＤＶＤ（Digital Versatile Disc）等の各種ディスク状情報記録媒体（以下、単に「光ディスク」という）を再生可能な光ディスク再生装置が提案され、実用化されている。一般に光ディスクに記録されている情報を再生する場合には、情報が記録されている記録面に対し、光ビームを最適な焦点距離に合焦させるとともに、当該記録面上に記録された情報トラックに対し、該光ビームの照射位置を追随させることが必要となる。そのため、光ビームの光ディスクからの反射光により生成されるフォーカスエラー信号を用いたフォーカスサーボ制御が行われている。
【０００３】
フォーカスサーボ制御を行う方法としては、ナイフエッジ法、ウェッジプリズム法、フーコー法等が用いられているが、一般に非点収差法が行われており、非点収差が与えられた光ビームの反射光を４分割光ディテクタで受光し、この４分割光ディテクタのうち対角線上に存在する受光素子同士の検出信号を加算し、該加算した信号同士の差分を算出することでフォーカスエラー信号が得られる。
【０００４】
上述した非点収差法により、図５に示すような、いわゆるＳカーブを得ることができ、このＳカーブに基づいてフォーカスエラー信号ＦＥが「０」となるようピックアップの対物レンズを記録面に垂直な方向に移動させることにより、当該記録面の位置と光ビームの合焦位置とを一致させている。なお、図５上図に示すＳカーブは、フォーカスエラー信号と記録面の位置からの焦点位置のデフォーカス距離（誤差量）との対応を示している。また、図５下図は、ＲＦＲＰ信号の振幅値とデフォーカス距離との対応を示すデフォーカス特性を示している。ここで、ＲＦＲＰ信号とは、光ディスクからの反射光から求めたＲＦ信号のエンベロープに応じた信号を意味している。
【０００５】
ところで、実際の光ディスク再生装置においては、ディテクタにおける各受光素子の感度の相違や、ピックアップが有する対物レンズと記録面との間の傾斜（スキュー）、光学的な特性の歪や、経年変化等が起因して、記録面と光ビームのフォーカス位置が一致している（図５において、デフォーカス距離が「０」の点に対応）にもかかわらず、ＲＦ振幅が最大とならない場合がある。このような場合、ＲＦ信号に対応した正確なフォーカスエラー信号ＦＥが得られないことにより、正確なフォーカスサーボ制御ができず、正確な情報再生が行えない等の問題が生じる可能性があるため、ＲＦＲＰ信号の振幅（以下、ＲＦ振幅という）が最大となる点に調整するフォーカスバランス調整が行われる。従来、フォーカスエラー信号にステップ状の外乱信号を注入し、強制的に±方向に交互にデフォーカスさせることでデフォーカス方向とズレ量を判定することで、最良となる焦点距離を探索してフォーカスバランス調整を行うディスク再生装置が提案されている（例えば、特許文献１参照）。
【特許文献１】特開平６−２４３４９６号公報
【発明の開示】
【発明が解決しようとする課題】
【０００６】
しかしながら、光ディスクの種別や、経年による劣化等により、デフォーカス特性の波形は一様ではないため、外乱信号として与える値の大きさによっては、適切なフォーカスバランス調整が行えないという問題がある。例えば、図６に示すように、記録面の汚れやディスク種別（ＣＤ（Compact Disk）、ＤＶＤ（Digital Versatile Disk）、ＤｕａｌＤｉｓｋ（登録商標））等により、デフォーカス特性が急峻であるような場合、外乱信号として与える値が過大であるとフォーカスバランスが発散してフォーカスが外れてしまう可能性がある。特許文献１記載のディスク再生装置では、外乱信号として与える値の大きさに関しては何ら記載されておらず、上述した問題を解決することはできない。
【０００７】
本発明の課題は、ディスク型記録媒体毎の特性に応じた外乱信号値を印加することが可能な、フォーカスバランス調整装置及び光ディスク再生装置を提供することを目的とする。
【課題を解決するための手段】
【０００８】
上記課題を解決するために、請求項１に記載の発明は、
ディスク型記録媒体から情報を読み取る光学式ピックアップと、
前記読み取られた情報から、前記光学式ピックアップの焦点位置を調整するためのフォーカスエラー信号を出力する出力手段と、
外乱信号を生成して、当該外乱信号を前記フォーカスエラー信号に印加する外乱信号生成手段と、
前記外乱信号の印加に応じて前記ディスク型記録媒体から読み出されたデータ信号を検出する検出手段と、
前記検出されたデータ信号が示す特性曲線の傾きに基づいて、前記生成される外乱信号の値を調整する外乱信号調整手段と、
前記フォーカスエラー信号及び特性曲線に基づいて、フォーカスバランス調整を行うフォーカスバランス調整手段と、
を備えたことを特徴としている。
【０００９】
更に、請求項２に記載の発明は、請求項１に記載の発明において、
前記外乱信号調整手段は、複数の異なる値の外乱信号の印加に応じて検出されるデータ信号の特性値に基づいて、前記特性曲線の傾きを導出することを特徴としている。
【００１０】
更に、請求項３に記載の発明は、請求項１又は２に記載の発明において、
前記外乱信号調整手段は、前記フォーカスバランス調整の際に生成される外乱信号の値と比較し、前記外乱信号調整の際に生成される外乱信号の値が小さくなるよう制御することを特徴としている。
【００１１】
更に、請求項４に記載の発明は、請求項１〜３の何れか一項に記載の発明において、
前記外乱信号の調整は、前記フォーカスバランス調整が行われる前に行われることを特徴としている。
【００１２】
また、上記課題を解決するために、請求項５に記載の発明は、
請求項１〜４の何れか一項に記載のフォーカスバランス調整装置を備えたことを特徴としている。
【発明の効果】
【００１３】
本発明によれば、フォーカスバランス調整前に、小さな外乱信号をフォーカスエラー信号に印加し、この外乱信号の印加に応じてディスク型記録媒体から検出されるデータ信号が示す特性曲線の傾きに基づいて外乱信号の値を調整し、この調整された外乱信号の印加に応じて検出される特性曲線及びフォーカスエラー信号に基づいてフォーカスバランス調整を行う。このことにより、ディスク型記録媒体の種別や、経年による劣化等により、デフォーカス特性の波形がディスク毎に異なるような場合であっても、ディスク型記録媒体毎のデータ信号の特性曲線に応じて調整された最適な外乱信号に基づいて、フォーカスバランスを調整することが可能となるため、フォーカスバランス調整を確実に行うことができる。
【発明を実施するための最良の形態】
【００１４】
以下、図に基づいて本発明を実施するための最良の形態について詳細に説明する。なお、発明の範囲は、本実施の形態に限定されないものとする。
【００１５】
図１は、本発明に係る光ディスク再生装置のフォーカスバランス調整装置１００を模式的に示した図である。図１に示すように、フォーカスバランス調整装置１００は、光ピックアップ１０、ＦＥ信号生成回路２０、外乱信号生成部３０、加算部４０、ＲＦＲＰ信号生成回路５０、制御部６０等を有して構成される。
【００１６】
光ピックアップ１０は、光ディスクＤの記録面の対向位置に設けられており、半導体レーザ（不図示）からのレーザ光が、対物レンズ１１を介して光ディスクＤの記録面に照射され、その反射光がディテクタ１２の受光素子に受光される。なお、光ディスクＤはＣＤ、ＤＶＤ又はＤｕａｌＤｉｓｋであるとし、光ピックアップ１０の半導体レーザからは、光ディスクＤに応じた波長のレーザ光が出力されるものとする。
【００１７】
対物レンズ１１は、光ディスクＤの記録面と垂直な方向（光軸方向）に沿って移動可能に保持され、後述する制御部６０の制御によりアクチュエータ１３が対物レンズ１１を光軸方向に移動させることでデフォーカスを行う。
【００１８】
ディテクタ１２は、分割された４つの受光素子（領域Ａ〜Ｄ）で構成されており、光ディスクＤの記録面からの反射光が受光されると、この４つの受光素子それぞれから検出信号が出力されるようになっている。なお、本実施の形態では、４つの受光素子からなるディテクタとしたが、受光素子の数はこれに限らないものとする。
【００１９】
ＦＥ信号生成回路２０は、バイアスコントロールアンプ２１、アンプ２２等を有している。ＦＥ信号生成回路２０では、光ピックアップ１０のディテクタ１２の受光素子から出力された検出信号のうち、４つの受光素子のうち対角線上に存在する受光素子同士の検出信号が加算され（つまり、領域Ａ＋Ｃ及び領域Ｂ＋Ｄ）、この加算されたそれぞれの信号に対し、バイアスコントロールアンプ２１は、後述する外乱信号生成部３０から入力される外乱信号に基づいてバイアスを印加（重畳）させる。なお、外乱信号を印加させる方法は、特に問わず、例えば、オフセット加算（又は減算）方式を用いることとしてもよい。
【００２０】
アンプ２２は、バイアスコントロールアンプ２１から出力される信号同士の差分を算出し、この結果をフォーカスエラー（ＦＥ）信号として出力する。
【００２１】
外乱信号生成部３０は、後述する制御部６０の制御に応じて外乱信号を生成し、ＦＥ信号生成回路２０のバイアスコントロールアンプ２１に出力する。なお、外乱信号生成部３０で生成される外乱信号の信号波形は特に問わず、例えば、正弦波、矩形波、三角波等の信号であってもよい。
【００２２】
加算部４０は、光ピックアップ１０のディテクタ１２の受光素子から出力された４つの検出信号を加算し、この結果をＲＦ信号としてＲＦＲＰ信号生成回路５０に出力する。
【００２３】
ＲＦＲＰ信号生成回路５０は、ハイパスフィルタ、検波回路（何れも不図示）等を有し構成されており、加算部４０から入力されたＲＦ信号の上側エンベローブと下側エンベローブの値を求め、その差分を算出し、この結果をＲＦＲＰ信号として出力する。
【００２４】
制御部６０は、アンプ２２から入力されるフォーカスエラー信号と、ＲＦＲＰ信号生成回路５０から入力されるＲＦＲＰ信号とに基づいて、アクチュエータ１３を制御し、対物レンズ１１を光軸方向に移動させる。
【００２５】
また、制御部６０は、アンプ２２から入力されるフォーカスエラー信号と、ＲＦＲＰ信号生成回路５０から入力されるＲＦＲＰ信号とに基づいて、外乱信号生成部３０が生成する外乱信号の値を調整する。つまり、制御部６０は、外乱信号生成部３０を介して、バイアスコントロールアンプ２１が重畳するバイアス値の調整を行うことで、外乱信号の値を調整する。
【００２６】
具体的には、制御部６０は、外乱信号の印加に応じて出力されるＲＦＲＰ信号のデフォーカス特性が示す曲線（以下、デフォーカス特性曲線という）の傾きを導出し、この導出された傾きの値に基づいて生成される外乱信号の値を調整する。一般にＲＦＲＰ信号のデフォーカス特性曲線は、ＲＦ振幅が最大となるとなるセンター位置に対して対称特性を示し、二次関数（ｙ＝−ａｘ2＋ｂ）で表すことが可能であるため、制御部６０は、この二次関数の傾きａ（二次関数のａに対応）を導出することになる。
【００２７】
デフォーカス特性曲線の傾きａの導出は、複数の異なる値を有する外乱信号を連続的又は所定の間隔で印加して得られた複数のＲＦ振幅値に基づき、上述した二次関数を逐次演算によって導出することで、傾きａの値を求めることとしてもよいし、また、複数のＲＦ振幅値に基づいて、近似的に導出することとしてもよい。なお、外乱信号として印加する信号波形は特に問わないものとする。
【００２８】
また、制御部６０は、アンプ２２から入力されるフォーカスエラー信号と、外乱信号の印加に応じて出力されるデフォーカス特性曲線に基づいて、ＲＦ振動の振幅が最大となる点にフォーカス位置を調整するフォーカスバランス調整を行う。
【００２９】
以下、図２を参照して、３つの異なる値を有した外乱信号の印加に応じて出力されるＲＦ振幅値に基づいて、デフォーカス特性曲線の傾きを導出する際の動作を説明する。なお、本処理は制御部６０により行われるものとする。また、制御部６０により、フォーカスバランス調整時に印加される外乱信号の値と比較して、小さな値の外乱信号が印加されるよう外乱信号生成部３０が制御されるものとする。
【００３０】
まず、外乱信号生成部３０に対し、外乱信号を生成するよう指示する制御信号が出力されると、外乱信号生成部３０により、３つの異なる値Ｎ１、Ｎ２、Ｎ３を有した外乱信号をバイアスコントロールアンプ２１に印加される（ステップＳ１１）。本処理において、Ｎ１、Ｎ２、Ｎ３の関係は、Ｎ２＞Ｎ１＞Ｎ３であるとする。なお、Ｎ２及びＮ３は、Ｎ１を中心として正負方向にそれぞれ等間隔に変位した値とすることが好ましく、例えば、外乱信号が正弦波の場合には、正弦波形の原点位置の振幅をＮ１、最大振幅及び最小振幅値をそれぞれＮ２、Ｎ３とすることとしてもよい。
【００３１】
次いで、ステップＳ１１で印加した各外乱信号の値に応じてそれぞれ出力されるＲＦ振幅値（Ｅｎｖ（Ｎ１）、Ｅｎｖ（Ｎ２）、Ｅｎｖ（Ｎ３））が測定され（ステップＳ１２）、Ｅｎｖ（Ｎ１）とＥｎｖ（Ｎ２）との値が比較され、Ｅｎｖ（Ｎ１）の値がＥｎｖ（Ｎ２）の値よりも大きい場合には（ステップＳ１３；Ｙｅｓ）、さらにＥｎｖ（Ｎ３）とＥｎｖ（Ｎ２）との値が比較される（ステップＳ１４）。
【００３２】
ここで、Ｅｎｖ（Ｎ３）の値がＥｎｖ（Ｎ２）の値よりも大きい場合には（ステップＳ１４；Ｙｅｓ）、さらにＥｎｖ（Ｎ１）とＥｎｖ（Ｎ３）との値が比較され、Ｅｎｖ（Ｎ１）の値がＥｎｖ（Ｎ３）の値よりも大きい場合には（ステップＳ１５；Ｙｅｓ）、Ｅｎｖ（Ｎ１）の値とＥｎｖ（Ｎ２）の値との差分が算出され、この差分値の絶対値が傾きａと設定されて（ステップＳ１６）、本処理は終了する。
【００３３】
図３（ａ）は、ステップＳ１６の状態におけるＥｎｖ（Ｎ１）、Ｅｎｖ（Ｎ２）及びＥｎｖ（Ｎ３）の一例を示す図である。同図に示すように、Ｅｎｖ（Ｎ１）におけるデフォーカス距離Ｆ１及びＲＦ振幅値Ｖ１と、Ｅｎｖ（Ｎ２）におけるデフォーカス距離Ｆ２及びＲＦ振幅値Ｖ２との値と、が下記式（１）のように演算され、この結果がデフォーカス特性の曲線の傾きａと設定される。
【００３４】
【数１】
2006185516.tif 000003
【００３５】
図２に戻り、ステップＳ１５において、Ｅｎｖ（Ｎ１）の値がＥｎｖ（Ｎ３）の値以下であると判定された場合には（ステップＳ１５；Ｎｏ）、Ｅｎｖ（Ｎ３）の値とＥｎｖ（Ｎ２）の値との差分が算出され、この差分値が２で除算されることで得られた値の絶対値が、デフォーカス特性曲線の傾きａと設定されて（ステップＳ１７）、本処理は終了する。
【００３６】
図３（ｂ）は、ステップＳ１７の状態におけるＥｎｖ（Ｎ１）、Ｅｎｖ（Ｎ２）及びＥｎｖ（Ｎ３）の一例を示す図である。同図に示すように、Ｅｎｖ（Ｎ３）におけるデフォーカス距離Ｆ３及びＲＦ振幅値Ｖ３と、Ｅｎｖ（Ｎ２）におけるデフォーカス距離Ｆ２及びＲＦ振幅値Ｖ２との値と、が下記式（２）のように演算され、この結果がデフォーカス特性曲線の傾きａと設定される。
【００３７】
【数２】
2006185516.tif 000004
【００３８】
図２に戻り、ステップＳ１４において、Ｅｎｖ（Ｎ３）の値がＥｎｖ（Ｎ２）の値以下であると判定された場合には（ステップＳ１４；Ｎｏ）、Ｅｎｖ（Ｎ１）の値とＥｎｖ（Ｎ３）の値との差分が算出される、この差分値がデフォーカス特性曲線の傾きａと設定されて（ステップＳ１８）、本処理は終了する。
【００３９】
図３（ｃ）は、ステップＳ１８の状態におけるＥｎｖ（Ｎ１）、Ｅｎｖ（Ｎ２）及びＥｎｖ（Ｎ３）の一例を示す図である。同図に示すように、Ｅｎｖ（Ｎ１）におけるデフォーカス距離Ｆ１及びＲＦ振幅値Ｖ１と、Ｅｎｖ（Ｎ３）におけるデフォーカス距離Ｆ３及びＲＦ振幅値Ｖ３との値と、が下記式（３）のように演算され、この結果がデフォーカス特性曲線の傾きａと設定される。
【００４０】
【数３】
2006185516.tif 000005
【００４１】
図２に戻り、ステップＳ１３において、Ｅｎｖ（Ｎ１）の値がＥｎｖ（Ｎ２）の値以下であると判定された場合には（ステップＳ１３；Ｎｏ）、さらにＥｎｖ（Ｎ１）とＥｎｖ（Ｎ３）との値が比較される（ステップＳ１９）。
【００４２】
ここで、Ｅｎｖ（Ｎ１）の値がＥｎｖ（Ｎ３）の値よりも大きい場合には（ステップＳ１９；Ｙｅｓ）、Ｅｎｖ（Ｎ２）の値とＥｎｖ（Ｎ３）の値との差分が算出され、この差分値が２で除算されることで得られた値が、デフォーカス特性曲線の傾きａと設定されて（ステップＳ２０）、本処理は終了する。
【００４３】
図４（ａ）は、ステップＳ２０の状態におけるＥｎｖ（Ｎ１）、Ｅｎｖ（Ｎ２）及びＥｎｖ（Ｎ３）の一例を示す図である。同図に示すように、Ｅｎｖ（Ｎ２）におけるデフォーカス距離Ｆ２及びＲＦ振幅値Ｖ２と、Ｅｎｖ（Ｎ３）におけるデフォーカス距離Ｆ３及びＲＦ振幅値Ｖ３との値と、が下記式（４）のように演算され、この結果がデフォーカス特性曲線の傾きａと設定される。
【００４４】
【数４】
2006185516.tif 000006
【００４５】
図２に戻り、ステップＳ１９において、Ｅｎｖ（Ｎ１）の値がＥｎｖ（Ｎ３）の値以下であると判定された場合には（ステップＳ１９；Ｎｏ）、デフォーカス特性曲線の傾きａが「０」と設定される。
【００４６】
ステップＳ１９において、Ｅｎｖ（Ｎ１）の値がＥｎｖ（Ｎ３）の値以下であると判定されるＥｎｖ（Ｎ１）〜Ｅｎｖ（Ｎ３）の関係は、Ｅｎｖ（Ｎ２）＞Ｅｎｖ（Ｎ３）≧Ｅｎｖ（Ｎ１）である場合と、Ｅｎｖ（Ｎ３）≧Ｅｎｖ（Ｎ２）≧Ｅｎｖ（Ｎ１）である場合が挙げられる。このような場合、図４（ｂ）に示すような対応関係となり、通常の出フォーカス特性曲線とは異なる形状となるため、傾きａを「０」と設定する。なお、本処理では「０」とすることとしたが、これに限らず、他の値を傾きと設定することとしてもよいし、Ｎ１、Ｎ２、Ｎ３とは異なる値を有した外乱信号を印加することで得られた値を再度判定することとしてもよい。
【００４７】
本処理の後、制御部６０は、上述した処理で設定されたデフォーカス特性曲線の傾きａの値に応じて、該デフォーカス特性曲線に最適な外乱信号の値を導出し、該導出された値で外乱信号を生成させる制御信号を外乱信号生成部３０に出力することで外乱信号の調整を行う。なお、デフォーカス特性曲線の傾きａの値の大きさに応じて、外乱信号の値の大きさを減少させることが好ましい。即ち、デフォーカス曲線が急峻であるほど、外乱信号の大きさを小さくすることが好ましい。また、傾きａの値に応じた外乱信号の導出は、不図示のＲＯＭ等に予め記憶された傾きａの値と外乱信号値との対応を示したＬＵＴ（Look Up Table）等の参照表に基づいて導出することとしてもよいし、傾きａの値と外乱信号値とに係る所定の関係式に基づいて演算を行うことで導出することとしてもよい。
【００４８】
そして制御部６０は、調整された外乱信号の印加に応じて出力されるデフォーカス特性曲線に基づいて、フォーカスバランス調整を行う。
【００４９】
以上説明したように、本実施の形態によれば、フォーカスバランス調整前に、小さな外乱信号をフォーカスエラー信号に印加し、この外乱信号の印加に応じてディスク型記録媒体から検出されるデータ信号が示す特性曲線の傾きに基づいて外乱信号の値を調整し、この調整された外乱信号の印加に応じて検出される特性曲線及びフォーカスエラー信号に基づいてフォーカスバランス調整を行う。このことにより、ディスク型記録媒体の種別や、経年による劣化等により、デフォーカス特性の波形がディスク毎に異なるような場合であっても、ディスク型記録媒体毎のデータ信号の特性曲線に応じて調整された最適な外乱信号に基づいて、フォーカスバランスを調整することが可能となるため、フォーカスバランス調整を確実に行うことができる。
【００５０】
本実施の形態におけるフォーカスバランス調整装置１００の細部構成及び詳細動作に関しては、本発明の趣旨を逸脱しない範囲で適宜変更可能である。
【００５１】
例えば、本実施の形態では、デフォーカス特性曲線の傾きにａに応じて外乱信号の大きさを調整することとしたが、これに限らず、外乱信号の生成頻度や、ＲＦ振幅ゲイン値を調整することとしてもよく、このような場合、上述した実施の形態と同様の効果を得ることができる。
【００５２】
また、本実施の形態では、ＲＦ振幅のデフォーカス特性に基づいて外乱信号を調整し、フォーカスバランスの調整を行うこととしたが、これに限らず、ジッターやＴＥ振幅に基づいて同様に行うこととしてもよい。
【図面の簡単な説明】
【００５３】
【図１】フォーカスバランス調整装置の構成を示すブロック図である。
【図２】デフォーカス特性曲線の傾きを導出する際の動作の一例を説明するフローチャートである。
【図３】（ａ）外乱信号の印加により得られた結果の一例を示す図である。（ｂ）外乱信号の印加により得られた結果の一例を示す図である。（ｃ）外乱信号の印加により得られた結果の一例を示す図である。
【図４】（ａ）外乱信号の印加により得られた結果の一例を示す図である。（ｂ）外乱信号の印加により得られた結果の一例を示す図である。
【図５】フォーカスエラー信号及びＲＦＲＰ信号の変動を示す図である。
【図６】ＲＦＲＰ信号の変動を示す図である。
【符号の説明】
【００５４】
１００  フォーカスバランス調整装置
１０  光ピックアップ
１１  対物レンズ
１２  ディテクタ
１３  アクチュエータ
２０  ＦＥ信号生成回路
２１  バイアスコントロールアンプ
２２  アンプ
３０  外乱信号生成部
４０  加算部
５０  ＲＦＲＰ信号生成回路
６０  制御部
Ｄ  光ディスク
【図１】
2006185516.tif 000007
【図２】
2006185516.tif 000008
【図３】
2006185516.tif 000009
【図４】
2006185516.tif 000010
【図５】
2006185516.tif 000011
【図６】
2006185516.tif 000012